(57)【特許請求の範囲】
【請求項１】
魚の投入口に、内方から閉塞方向に付勢された閉塞体が回動可能に取り付く魚入れ容器に於て、
前記閉塞体に通水孔を設けると共に、該通水孔を流下する水流が当たって前記閉塞体を閉塞方向へと付勢する抵抗面を設けたことを特徴とする魚入れ容器。
【請求項２】
前記閉塞体は、その一端側が魚入れ容器の任意位置に軸着され、他端側が自由端となっていると共に、前記抵抗面は、閉塞体の自由端たる他端側へ下る傾斜面であることを特徴とする請求項１に記載の魚入れ容器。
【請求項３】
前記抵抗面は、前記通水孔の内周面に設けられていることを特徴とする請求項１または請求項２に記載の魚入れ容器。
【請求項４】
前記抵抗面は、前記通水孔より自由端側に設けられていることを特徴とする請求項１または請求項２に記載の魚入れ容器。
【請求項５】
前記抵抗面は、閉塞体の周縁部に設けられていることを特徴とする請求項２または請求項４に記載の魚入れ容器。
【請求項６】
前記抵抗面は、閉塞体の自由端たる後端側周縁部に設けられた折曲片の傾斜面であることを特徴とする請求項５に記載の魚入れ容器。
【発明の詳細な説明】
【技術分野】
【０００１】
本発明は魚入れ容器に係り、詳しくは魚の投入口の閉塞体に改良を加えた魚入れ容器に関する。
【背景技術】
【０００２】
特許文献１に開示されるように、従来、鮎の友釣り等、おとりとして生きた魚を使用する場合に引き舟（友舟）やおとり缶が使われ、また、釣った魚を生かしておくために、魚を入れて水の中につけておくビク等の魚入れ容器が使用されている。
【０００３】
これらの魚入れ容器は、容器内に魚を容易に入れることができるように魚の投入口を備え、この投入口に、内方から閉塞方向に付勢された閉塞体が回動可能に軸着されている。そして、魚を容器内に入れるときは、魚を握持した手で閉塞体をその付勢力に抗して押圧，回動し乍ら投入口を開いて中に魚を投入し、蓋体に触れた手を離せば閉塞体が戻って投入口が閉じるようになっている。
【特許文献１】実用新案登録第２５５８１９０号公報
【特許文献２】実開昭５５−１１００５４号公報
【発明の開示】
【発明が解決しようとする課題】
【０００４】
しかし、魚入れ容器を水に浸けた場合、閉塞体が水流を受けると、その付勢力に抗して閉塞体が開いて容器内の魚が逃げ出してしまう虞があった。
【０００５】
特に引き舟は流れに引き流しておくため水流を受け易く、水流で煽られて反転することもある。そして、引き舟が反転すると、水中のより強い水圧が閉塞体にかかって投入口が大きく開き、中から魚が簡単に逃げてしまう虞があった。
【０００６】
本発明は斯かる実情に鑑み案出されたもので、魚の投入口の閉塞体が水流で開き難くした魚入れ容器を提供することを目的とする。
【課題を解決するための手段】
【０００７】
斯かる目的を達成するため、請求項１に係る発明は、魚の投入口に、内方から閉塞方向に付勢された閉塞体が回動可能に取り付く魚入れ容器に於て、前記閉塞体に通水孔を設けると共に、該通水孔を流下する水流が当たって前記閉塞体を閉塞方向へと付勢する抵抗面を設けたことを特徴とする。
【０００８】
そして、請求項２に係る発明は、請求項１に記載の魚入れ容器に於て、前記閉塞体は、その一端側が魚入れ容器の任意位置に軸着され、他端側が自由端となっていると共に、前記抵抗面は、閉塞体の自由端たる他端側へ下る傾斜面であることを特徴とし、請求項３に係る発明は、請求項１または請求項２に記載の魚入れ容器に於て、前記抵抗面は、前記通水孔の内周面に設けられていることを特徴とする。
【０００９】
また、請求項４に係る発明は、請求項１または請求項２に記載の魚入れ容器に於て、前記抵抗面は、前記通水孔より自由端側に設けられていることを特徴とし、請求項５に係る発明は、請求項２または請求項４に記載の魚入れ容器に於て、前記抵抗面は、閉塞体の周縁部に設けられていることを特徴とする。
【００１０】
更に、請求項６に係る発明は、請求項５に記載の魚入れ容器に於て、前記抵抗面は、閉塞体の自由端たる後端側周縁部に設けられた折曲片の傾斜面であることを特徴とする。
【発明の効果】
【００１１】
各請求項に係る発明によれば、閉塞体に通水孔が設けられているため、閉塞体にかかった水流が外方から内方へと各通水孔を流下し、水流に対する閉塞体の受圧抵抗が軽減する。
【００１２】
而も、斯様に水流が外方から内方へと通水孔を流下して抵抗面に当たって閉塞体を斜め上方の閉塞方向へ付勢するため、投入口を閉塞させる力が閉塞体に作用することとなる。
【００１３】
従って、閉塞体に強い水流がかかっても、従来に比し、閉塞体が水流によって開き難くなるため、投入口が水流で不用意に開いてしまうことがなくなり、この結果、魚入れ容器内から魚が逃げ出してしまうことが防止できることとなった。
【発明を実施するための最良の形態】
【００１４】
以下、本発明の実施形態を図面に基づいて詳細に説明する。
【００１５】
図１乃至図３は請求項１乃至請求項３に係る発明を引き舟に適用した一実施形態を示し、図中、１は硬質な合成樹脂材料を用いてボックス状の舟型に形成された容器本体で、容器本体１の舳先側の両側面３に設けた透孔５に紐７が挿通されてハンドル９が取り付き、該ハンドル９に牽引ロープ（保持紐）１１の一端が取り付けられている。そして、牽引ロープ１１の他端側に、ベルト等への止着具（図示せず）が取り付けられている。
【００１６】
また、透孔５のやや後方の側面３に、容器本体１内に水を流入させる複数の通水口１３が形成されており、牽引ロープ１１で牽引し乍ら容器本体１を流れに引き流すと、舳先が流れの上流を向いて浮き、更に、容器本体１の後部側に図示しない排水口が設けられて、容器本体１内を新鮮な水が循環するようになっている。
【００１７】
そして、図１に示すように容器本体１の上面１５の舳先側に魚の取出口１７が形成されると共に、該取出口１７を開閉する前開きの蓋体１９が蝶番２１を介して取り付けられており、蓋体１９の前部に該蓋体１９の開閉操作部２３が装着され、蓋体１９の後部が前記蝶番２１によって容器本体１に取り付けられている。
【００１８】
尚、蓋体１９等、容器本体１の付属品は容器本体１に含まれ、魚の取出口を有しない場合は、容器本体１の上面１５に蓋体１９を設けなくてもよい。
【００１９】
図２に示すように前記開閉操作部２３は断面Ｌ字状の係止片からなり、該開閉操作部２３は蓋体１９を挿通して、その一端２５側が、蓋体１９の上部に設けた凹部２７内に回動軸２９を介して前後方向へ回動可能に軸着されている。
【００２０】
一方、鋭角に形成された開閉操作部２３の他端側の係止部３１が、容器本体１の内面に設けた係止孔３３に係止しており、開閉操作部２３は、図示しないバネのバネ力で係止部３１が係止孔３３に常時係止するように付勢されている。そして、前記凹部２７内に突出する開閉操作部２３の一端２５を、前記バネのバネ力に抗して前方（図２中、矢印Ａ方向）へ操作すると、図２の二点鎖線の如く係止部３１と係止孔３３との係止状態が解除されて蓋体１９が開き、取出口１７が開放するようになっている。
【００２１】
そして、図１及び図２に示すように前記容器本体１の蓋体１９に、釣れた魚（鮎）を引き舟（魚入れ容器）３５内に投入する平面視略楕円形状の投入口３７が設けられ、該投入口３７に、内方から閉塞方向に付勢された閉塞体３９が回動可能に取り付けられている。
【００２２】
前記閉塞体３９は、左右に分割された一対の平面視略半楕円形状の分割体３９ａ，３９ｂからなり、各分割体３９ａ，３９ｂは、夫々の一端側の前部が回動軸４１を介して投入口３７の裏面側周縁部に回動可能に取り付けられ、他端側の後部が投入口３７に対し開閉する自由端となっている。そして、該回動軸４１に巻着されたコイルバネ（付勢体）４３のバネ力で、両分割体３９ａ，３９ｂは投入口３７を内方から閉塞する方向に付勢されている。
【００２３】
また、図１及び図２に示すように閉塞体３９の前側に、上方へ突出する凸部４５が両分割体３９ａ，３９ｂに亘って設けられており、魚を握ったままの手でコイルバネ４３のバネ力に抗して前記凸部４５を下方へ押圧すると、図２の二点鎖線で示すように分割体３９ａ，３９ｂが下方に開いて、投入口３７から魚が引き舟３５内に簡単に投入できるようになっている。
【００２４】
そして、本実施形態は上述の如き構成に加え、水流Ｗに対する閉塞体３９の受圧抵抗を軽減させて閉塞体３９が水流Ｗで開いてしまうことを防止するため、図１乃至図３に示すように閉塞体３９（分割体３９ａ，３９ｂ）に、平面視矩形状や平面視三角形状等からなる複数の通水孔４７を該閉塞体３９の中央から後部側に亘って設けると共に、該通水孔４７の内周面に、外方から内方へと各通水孔４７を流下する水流Ｗが当たって、該水流Ｗが、閉塞体３９の一端側を回動軸４１を中心に回動させ、他端側を斜め上方（図３中、矢印Ｂ方向）へと付勢して水流Ｗの力で投入口３７を閉塞体３９で閉塞させる抵抗面４９を設けたもので、抵抗面４９は、通水孔４７の内周面の少なくとも閉塞体３９の自由端側に設けられて閉塞体３９の自由端たる後部側へと下る、即ち、水流Ｗの上流側から下流側へと下る傾斜面で形成されている。
【００２５】
その他、図２中、５１は容器本体１の舳先内に埋設された浮力体である。
【００２６】
本実施形態に係る引き舟３５はこのように構成されているから、従来と同様、引き舟３５を流れに引き流しておくと水流Ｗを受け、水流Ｗで煽られて反転することもあり、その際、閉塞体３９（分割体３９ａ，３９ｂ）に強い水流Ｗがかかることとなる。
【００２７】
しかし、閉塞体３９には複数の通水孔４７が設けられているため、閉塞体３９にかかった水流Ｗが外方から内方へと各通水孔４７を流下し、水流Ｗに対する閉塞体３９の受圧抵抗が軽減する。而も、斯様に水流Ｗが外方から内方へと各通水孔４７を流下する際に、水流Ｗが各通水孔４７の後部（自由端）側の抵抗面４９に当たって閉塞体３９を斜め上方の閉塞方向（図３中、矢印Ｂ方向）へ付勢するため、投入口３７を閉塞させる力が閉塞体３９に作用することとなる。
【００２８】
従って、本実施形態によれば、閉塞体３９に強い水流Ｗがかかっても、従来に比し、閉塞体３９が水流Ｗによって開き難くなるため、投入口３７が水流Ｗで不用意に開いてしまうことがなくなり、この結果、引き舟３５内から魚が逃げ出してしまうことが防止できることとなった。
【００２９】
図４は請求項１乃至請求項４に係る発明を引き舟に適用した一実施形態を示し、本実施形態も、前記実施形態と同様、蓋体１９の投入口３７に回動自在に軸着した閉塞体３９-1に複数の通水孔４７-1を設けると共に、外方から内方へと各通水孔４７-1を流下する水流Ｗが当たって該水流Ｗが閉塞体３９-1を斜め上方（図４中、矢印Ｂ方向）へと付勢させる抵抗面４９-1を、水流Ｗの上流側から下流側へと下る傾斜面で形成したが、閉塞体３９-1を矢印Ｂ方向へ付勢させる力を強めるため、抵抗面４９-1を閉塞体３９-1の下面側（容器本体１の内面側）にて閉塞体３９-1の下方及び通水孔４７-1の後部側（閉塞体３９-1の自由端側）へ延設したものである。
【００３０】
尚、その他の構成は前記実施形態と同様であるので、同一のものには同一符号を付してそれらの説明は省略する。
【００３１】
而して、本実施形態に係る引き舟３５-1によれば、図３の抵抗面４９に比し抵抗面４９-1が閉塞体３９-1の下方及び後部（自由端）側まで長尺に延設されているため、閉塞体３９-1を閉塞方向へ付勢させる力が更に強くなって、閉塞体３９-1が水流Ｗによって更に開き難くなる。
【００３２】
従って、本実施形態によれば、投入口３７が水流Ｗで不用意に開いてしまうことが更になくなり、引き舟３５-1内から魚が逃げ出すことがより確実に防止できる利点を有する。
【００３３】
図５及び図６は請求項１，請求項２及び請求項４乃至請求項６に係る発明を引き舟に適用した一実施形態を示し、図中、３９-2は前記閉塞体３９と同様、左右に分割された一対の平面視略半楕円形状の分割体３９-2ａ，３９-2ｂからなる閉塞体で、図６に示すように各分割体３９-2ａ，３９-2ｂは、夫々の前部が回動軸４１を介して投入口３７の裏面側周縁部に取り付けられている。そして、該回動軸４１に巻着されたコイルバネ（付勢体）４３のバネ力で、両分割体３９-2ａ，３９-2ｂは投入口３７を内方から閉塞する方向に付勢されている。
【００３４】
そして、図５に示すように本実施形態も、水流Ｗに対する閉塞体３９-2の受圧抵抗を軽減させるため、閉塞体３９-2（分割体３９-2ａ，３９-2ｂ）の回動軸４１に軸着した前側から自由端たる後側へと延びる複数本の通水孔５３を放射状に設け、更に、閉塞体３９-2の周縁部に、外方から内方へと前記通水孔５３を流下する水流Ｗが当たって前記閉塞体３９-2を斜め上方（図６中、矢印Ｂ方向）へと付勢して水流Ｗの力で投入口３７を閉塞体３９-2で閉塞させる抵抗面５５を設けたもので、該抵抗面５５は、通水孔５３の後部側の閉塞体３９-2の周縁部の自由端に形成され、且つ閉塞体３９-2の下面側（容器本体１の内面側）に突設された折曲片５７の閉塞体３９-2が軸着された側から自由端側に下る傾斜面５９で形成されている。
【００３５】
尚、その他の構成は図１の実施形態と同様であるので、同一のものには同一符号を付してそれらの説明は省略する。
【００３６】
而して、本実施形態に係る引き舟３５-2によっても、既述した各実施形態と同様、所期の目的を達成することが可能であり、而も、本実施形態は、前記各実施形態に比し回動軸４１に対して抵抗面５５を更に遠い位置に設けたため、抵抗面５５を小さくしても十分な効果が期待できる。
【００３７】
図７及び図８は請求項１乃至請求項６に係る発明を、水の流れの方向に関係なく釣人が好みの方向で川底に載置するおとり缶に適用した一実施形態を示し、以下、本実施形態を図面を基に説明するが、図１の実施形態と同一のものには同一符号を付してそれらの説明は省略する。
【００３８】
図７に於て、６１は硬質な合成樹脂材料を用いて矩形状のボックス状に形成された容器本体で、容器本体６１の上面６３に、魚の取出口６５と魚の投入口３７が別個に形成されており、取出口６５は平面視矩形状に形成されている。そして、前記取出口６５を開閉する後開きの蓋体６９が蝶番２１を介して取り付けられており、蓋体６９の後部に該蓋体６９の開閉操作部２３が装着され、蓋体６９の前部が前記蝶番２１によって容器本体６１に取り付けられている。また、蓋体６９の前側に、複数の通水口７０が前後方向に設けられている。
【００３９】
尚、容器本体６１は蓋体６９を含んでおり、また、容器本体６１の取出口６５及び蓋体６９を他の構造としたり、省略することもできる。
【００４０】
一方、前記投入口３７に、内方から閉塞方向に付勢された閉塞体３９-3が回動可能に取り付けられており、閉塞体３９-3は、既述した閉塞体３９と同様、左右に分割された一対の平面視略半楕円形状の分割体３９-3ａ，３９-3ｂからなり、各分割体３９-3ａ，３９-3ｂは、夫々の前部が回動軸４１を介して投入口３７の裏面側周縁部に取り付けられている。そして、該回動軸４１に巻着されたコイルバネ（付勢体）４３のバネ力で、両分割体３９-3ａ，３９-3ｂは投入口３７を内方から閉塞する方向に付勢されている。
【００４１】
そして、図７に示すように本実施形態も、水流Ｗに対する閉塞体３９-3の受圧抵抗を軽減させるため、閉塞体３９-3（分割体３９-3ａ，３９-3ｂ）に、平面視矩形状や平面視三角形状等からなる複数の通水孔４７-3を該閉塞体３９-3の中央から後部側に亘って設け、更に、図８に示すように該通水孔４７-3の内周面に、外方から内方へと各通水孔４７-3を流下する水流Ｗが当たって、該水流Ｗが閉塞体３９-3を斜め上方（図８中、矢印Ｂ方向）へと付勢して水流Ｗの力で投入口３７を閉塞体３９-3で閉塞させる抵抗面４９-3を設けたもので、抵抗面４９-3は、閉塞体３９-3の自由端たる後部側へと下る、即ち、水流Ｗの上流側（閉塞体３９-3の回動軸４１に軸着した側）から下流側（閉塞体３９-3の自由端側）へと下る傾斜面で形成されている。そして、図４の実施形態と同様、前記閉塞体３９-3を矢印Ｂ方向へ付勢させる力を強めるため、抵抗面４９-3を閉塞体３９-3の下方且つ通水孔４７-3より自由端側へ延設した構造となっている。
【００４２】
而も、自由端の後端側の抵抗面４９-3は、後端側周縁部に設けた閉塞体３９-3の下面側（容器本体６１の内面側）に突出した折曲片としている。
【００４３】
本実施形態に係るおとり缶６７はこのように構成されているから、水中におとり缶６７を入れていた場合に、閉塞体３９-3（分割体３９-3ａ，３９-3ｂ）に強い水流Ｗがかかっても、閉塞体３９-3には複数の通水孔４７-3が設けられているため、閉塞体３９-3にかかった水流Ｗが外方から内方へと各通水孔４７-3を流下し、水流Ｗに対する閉塞体３９-3の受圧抵抗が軽減する。而も、斯様に水流Ｗが外方から内方へと各通水孔４７-3を流下する際に、水流Ｗが各通水孔４７-3の抵抗面４９-3に当たって閉塞体３９-3を斜め上方の閉塞方向（図８中、矢印Ｂ方向）へ付勢するため、投入口３７を閉塞させる力が閉塞体３９-3に作用することとなる。
【００４４】
従って、本実施形態によれば、閉塞体３９-3に強い水流Ｗがかかっても、閉塞体３９-3が水流Ｗによって開き難くなるため、投入口３７が水流Ｗで不用意に開いてしまうことがなくなり、この結果、おとり缶６７内から魚が逃げ出してしまうことが防止できる利点を有する。
【００４５】
尚、既述した各実施形態は、閉塞体を複数の分割体で形成したが、一つの閉塞体で投入口を閉塞させてもよく、また、前記各実施形態は本発明を引き舟やおとり缶に適用したものであるが、その他、例えばビク等の魚入れ容器に適用することが可能である。
【図面の簡単な説明】
【００４６】
【図１】請求項１乃至請求項３に係る発明を引き舟に適用した一実施形態の全体斜視図である。
【図２】図１に示す引き舟の要部拡大断面図である。
【図３】図１に示す引き舟の要部拡大断面図である。
【図４】請求項１乃至請求項４に係る発明を引き舟に適用した一実施形態の要部拡大断面図である。
【図５】請求項１，請求項２及び請求項４乃至請求項６に係る発明を引き舟に適用した一実施形態の全体斜視図である。
【図６】図５に示す引き舟の要部拡大断面図である。
【図７】請求項１乃至請求項６に係る発明をおとり缶に適用した一実施形態の全体斜視図である。
【図８】図７に示すおとり缶の要部拡大断面図である。
【符号の説明】
【００４７】
１，６１  容器本体
１３，７０  通水口
１７，６５  取出口
１９，６９  蓋体
２３  開閉操作部
３５，３５-1，３５-2  引き舟
３７  投入口
３９，３９-1，３９-2，３９-3  閉塞体
３９ａ，３９ｂ，３９-2ａ，３９-2ｂ，３９-3ａ，３９-3ｂ  分割体
４１  回動軸
４３  コイルバネ
４５  凸部
４７，４７-1，４７-3，５３  通水孔
４９，４９-1，４９-3，５５  抵抗面
５７  折曲片
５９  傾斜面
６７  おとり缶
【図１】
0004896851.tif 000002
【図２】
0004896851.tif 000003
【図３】
0004896851.tif 000004
【図４】
0004896851.tif 000005
【図５】
0004896851.tif 000006
【図６】
0004896851.tif 000007
【図７】
0004896851.tif 000008
【図８】
0004896851.tif 000009